(57)【要約】【課題】  リセット制御信号を変換手段に供給するためだけのマイコンを備えることなく、第１デジタル音声入力端子と第２デジタル入力端子との間で選択状態を切換える際に、必ず変換手段をリセット動作させる。【解決手段】  スライドスイッチ２が、第１デジタル音声入力端子と第２デジタル音声入力端子との間で選択状態を切換える際に、必ず、アナログ音声入力端子を選択する状態を経由する。スライドスイッチがアナログ音声入力端子を選択すると、ＤＩＲ３のリセット端子が接地電位に接続された状態になる。その結果、ＤＩＲ３はリセット動作を実行する。【選択図】図１Ａ
2011244353.tif 000002
【特許請求の範囲】
【請求項１】
第１デジタル音声入力端子と、第２デジタル音声入力端子と、アナログ音声入力端子と、
前記第１デジタル音声入力端子と、前記第２デジタル音声入力端子と、前記アナログ音声入力端子とのうちの１つを選択し、その選択状態が、前記第１デジタル音声入力端子、前記アナログ音声入力端子、前記第２デジタル音声入力端子およびその逆の順番に切換えられるスライドスイッチと、
前記スライドスイッチが、前記第１デジタル音声入力端子、又は、前記第２デジタル音声入力端子を選択しているとき、前記第１デジタル音声入力端子、又は、前記第２デジタル音声入力端子から前記スライドスイッチを経由して供給されるデジタル音声信号を所定規格デジタル音声信号に変換する変換手段と、
前記スライドスイッチが、前記第１デジタル音声入力端子、又は、前記第２デジタル音声入力端子を選択しているとき、前記変換手段からの音声信号を後段に出力するように選択し、前記スライドスイッチが、前記アナログ音声入力端子を選択しているとき、前記アナログ音声入力端子からのアナログ音声信号を後段に出力するように選択する第２スイッチとを備え、
前記スライドスイッチが、前記第１デジタル音声入力端子、又は、前記第２デジタル音声入力端子を選択しているとき、前記変換手段のリセット端子を前記スライドスイッチを介して第１レベルの電位に接続させないことによって、前記変換手段がリセット動作を実行せず、
前記スライドスイッチが、前記アナログ音声入力端子を選択しているとき、前記変換手段のリセット端子を前記スライドスイッチを介して前記第１レベルの電位に接続させることによって、前記変換手段がリセット動作を実行する、セレクタ装置。
【請求項２】
前記変換手段をリセット動作させるリセット制御信号を前記変換手段に供給するリセット制御信号生成手段をさらに備え、
前記スライドスイッチが、前記第１デジタル音声入力端子、又は、前記第２デジタル音声入力端子を選択しているとき、前記リセット制御信号生成手段を前記スライドスイッチを介して前記第１レベルの電位に接続させないことによって、前記リセット制御信号生成手段がリセット制御信号を前記変換手段に供給せず、前記変換手段がリセット動作を実行せず、
前記スライドスイッチが、前記アナログ音声入力端子を選択しているとき、前記リセット制御信号生成手段を前記スライドスイッチを介して前記第１レベルの電位に接続させることによって、前記リセット制御信号生成手段がリセット制御信号を所定時間継続して前記変換手段に供給し、前記変換手段がリセット動作を実行する、請求項１に記載のセレクタ装置。
【発明の詳細な説明】
【技術分野】
【０００１】
本発明は、第１デジタル音声入力端子、第２デジタル音声入力端子、アナログ音声入力端子のうちの１つを選択するセレクタ装置に関する。
【背景技術】
【０００２】
図３に示すように、アンプ装置には、音声信号の入力をオプティカルデジタル音声入力端子とコアキシャルデジタル音声入力端子との間で切換えるスイッチが設けられている。オプティカルデジタル音声入力端子、又は、コアキシャルデジタル音声入力端子から入力されたデジタル音声信号は、ＤＩＲにおいてＩ２Ｓフォーマットのデジタル音声信号に変換され、ＤＡＣにおいてアナログ音声信号に変換され、後段のボリューム回路やアンプ回路に供給される。ここで、スイッチをオプティカルデジタル音声入力端子とコアキシャルデジタル音声入力端子との間で切換えると、タイミングによっては、ＤＩＲにおいて、直前に入力されたデジタル音声信号が未だ残っていると、直前に入力されたデジタル音声信号に新たに入力されたデジタル音声信号が合わさってしまい、再生することのできない信号になり、ノイズが再生されてしまうことがある。
【０００３】
これを防止するために、スイッチをオプティカルデジタル音声入力端子とコアキシャルデジタル音声入力端子との間で切換える際に、ＤＩＲをリセットさせ、直前に入力されたデジタル音声信号を消去する必要がある。従来では、図４に示すように、アンプ装置がマイコンを備え、スイッチをオプティカルデジタル音声入力端子とコアキシャルデジタル音声入力端子との間で切換える際に、マイコンがＤＩＲにリセット制御信号を所定時間送信することによって、ＤＩＲをリセットさせている。しかし、マイコンを備える必要のないアンプ装置において、ＤＩＲにリセット制御信号を送信するためだけにマイコンを備えるのはコスト面で好ましくない。
【先行技術文献】
【特許文献】
【０００４】
【特許文献１】特開昭６１−１７７０３１号公報
【発明の概要】
【発明が解決しようとする課題】
【０００５】
本発明は上記従来の課題を解決するためになされたものであり、その目的は、リセット制御信号を変換手段に供給するためだけのマイコンを備えることなく、第１デジタル音声入力端子と第２デジタル入力端子との間で選択状態を切換える際に、変換手段をリセット動作させることができるセレクタ装置を提供することである。
【課題を解決するための手段】
【０００６】
本発明の好ましい実施形態によるセレクタ装置は、第１デジタル音声入力端子と、第２デジタル音声入力端子と、アナログ音声入力端子と、前記第１デジタル音声入力端子と、前記第２デジタル音声入力端子と、前記アナログ音声入力端子とのうちの１つを選択し、その選択状態が、前記第１デジタル音声入力端子、前記アナログ音声入力端子、前記第２デジタル音声入力端子およびその逆の順番に切換えられるスライドスイッチと、前記スライドスイッチが、前記第１デジタル音声入力端子、又は、前記第２デジタル音声入力端子を選択しているとき、前記第１デジタル音声入力端子、又は、前記第２デジタル音声入力端子から前記スライドスイッチを経由して供給されるデジタル音声信号を所定規格デジタル音声信号に変換する変換手段と、前記スライドスイッチが、前記第１デジタル音声入力端子、又は、前記第２デジタル音声入力端子を選択しているとき、前記変換手段からの音声信号を後段に出力するように選択し、前記スライドスイッチが、前記アナログ音声入力端子を選択しているとき、前記アナログ音声入力端子からのアナログ音声信号を後段に出力するように選択する第２スイッチとを備え、前記スライドスイッチが、前記第１デジタル音声入力端子、又は、前記第２デジタル音声入力端子を選択しているとき、前記変換手段のリセット端子を前記スライドスイッチを介して第１レベルの電位に接続させないことによって、前記変換手段がリセット動作を実行せず、前記スライドスイッチが、前記アナログ音声入力端子を選択しているとき、前記変換手段のリセット端子を前記スライドスイッチを介して前記第１レベルの電位に接続させることによって、前記変換手段がリセット動作を実行する、セレクタ装置。
【０００７】
スライドスイッチが、第１デジタル音声入力端子と第２デジタル音声入力端子との間で選択状態を切換える際に、必ず、アナログ音声入力端子を選択する状態を経由する。スライドスイッチがアナログ音声入力端子を選択すると、変換手段のリセット端子がスライドスイッチを介して第１レベルの電位に接続された状態になる。その結果、変換手段はリセット動作を実行する。第１レベルの電位は、特に限定されないが、接地電位でもよく、所定の電源電圧ラインでもよい。
【０００８】
好ましい実施形態においては、前記変換手段をリセット動作させるリセット制御信号を前記変換手段に供給するリセット制御信号生成手段をさらに備え、前記スライドスイッチが、前記第１デジタル音声入力端子、又は、前記第２デジタル音声入力端子を選択しているとき、前記リセット制御信号生成手段を前記スライドスイッチを介して前記第１レベルの電位に接続させないことによって、前記リセット制御信号生成手段がリセット制御信号を前記変換手段に供給せず、前記変換手段がリセット動作を実行せず、前記スライドスイッチが、前記アナログ音声入力端子を選択しているとき、前記リセット制御信号生成手段を前記スライドスイッチを介して前記第１レベルの電位に接続させることによって、前記リセット制御信号生成手段がリセット制御信号を所定時間継続して前記変換手段に供給し、前記変換手段がリセット動作を実行する。
【０００９】
この場合、第１デジタル音声入力端子からアナログ音声入力端子を経て第２デジタル音声入力端へ（またはその逆の順に）瞬間的に選択状態を切換えられた場合でも、リセット制御信号生成手段が、所定時間継続して、リセット制御信号を変換手段に供給する。従って、より確実に、変換手段がリセット動作を実行することができる。
【発明の効果】
【００１０】
リセット制御信号を変換手段に供給するためだけのマイコンを備えることなく、第１デジタル音声入力端子と第２デジタル入力端子との間で選択状態を切換える際に、必ず変換手段をリセット動作させることができるセレクタ装置を提供することができる。
【図面の簡単な説明】
【００１１】
【図１Ａ】本発明の好ましい実施形態によるセレクタ装置を示す回路図である。
【図１Ｂ】本発明の好ましい実施形態によるセレクタ装置を示す回路図である。
【図１Ｃ】本発明の好ましい実施形態によるセレクタ装置を示す回路図である。
【図２Ａ】本発明の好ましい実施形態によるセレクタ装置を示す回路図である。
【図２Ｂ】本発明の好ましい実施形態によるセレクタ装置を示す回路図である。
【図２Ｃ】本発明の好ましい実施形態によるセレクタ装置を示す回路図である。
【図３】従来のセレクタ装置を示すブロック図である。
【図４】従来のセレクタ装置を示すブロック図である。
【発明を実施するための形態】
【００１２】
以下、本発明の好ましい実施形態によるセレクタ装置１について、図面を参照して具体的に説明するが、本発明はこれらの実施形態には限定されない。セレクタ装置１は、アンプ装置やＴＶ等に採用され得る。
【００１３】
図１Ａ〜図１Ｃは、セレクタ装置１を示す概略回路図である。セレクタ装置１は、スライドスイッチ２と、変換手段の一例であるＤＩＲ（Digital Audio Interface Receiver）３と、ＤＡＣ(Digital Analog Converter/ Digital Audio Converter)４と、リレースイッチ５とを概略備える。セレクタ装置１は、音声入力端子として、少なくとも、複数のデジタル音声入力端子と、１つ以上のアナログ音声入力端子とを備える。本例では、デジタル音声入力端子は、オプティカルデジタル音声入力端子（第１デジタル音声入力端子）と、コアキシャルデジタル音声入力端子（第２デジタル音声入力端子）とを含むが、２つのオプティカルデジタル音声入力端子であってもよく、２つのコアキシャルデジタル音声入力端子であってもよい。
【００１４】
スライドスイッチ２は、複数の音声信号の中から、アンプ装置が増幅してスピーカーに出力する音声信号を選択する。つまり、スライドスイッチ２は、複数の音声入力端子の中から、アンプ装置が増幅してスピーカーに出力する音声信号が入力される音声入力端子を選択する。スライドスイッチ２は、少なくもと３つの選択状態を有している。スライドスイッチ２の選択状態としては、左から順に、第１デジタル音声入力端子（オプティカルデジタル音声入力端子）、アナログ音声入力端子、第２デジタル音声入力端子（コアキシャルデジタル音声入力端子）の順番に並んでいる。すなわち、オプティカルデジタル音声入力端子と、コアキシャルデジタル音声入力端子との間で選択状態を切換える際に、必ず、アナログ音声入力端子の選択状態を経由する。
【００１５】
スライドスイッチ２は、アナログ音声入力端子を選択する際に、後段のＤＩＲ３のリセット端子を第１レベルの電位（本例では接地電位）に接続させることにより、ＤＩＲ３のリセット端子に対してリセット制御信号（ローレベルの信号）を供給するように構成されている。従って、オプティカルデジタル音声入力端子と、コアキシャルデジタル音声入力端子とを切換える際に、必ず、アナログ音声入力端子の選択状態を経由するので、必ず、ＤＩＲ３のリセット端子に対してリセット制御信号を供給することができる。スライドスイッチ２がＤＩＲ３にリセット制御信号を供給するので、ＤＩＲ３にリセット制御信号を供給するためのマイコンを別途設ける必要がない。
【００１６】
スライドスイッチ２は、スイッチ本体２１、２２と、端子ａ〜ｊとを含む。スイッチ本体２１、２２は連動して図示左右方向にスライド移動可能である。スイッチ本体２１は、端子ｆ〜ｊのうちの２つの端子と接続することができ、選択された２つの端子を導通（電気的に接続）させることができる。スイッチ本体２２は、端子ａ〜ｅのうちの２つの端子と接続することができ、選択された２つの端子を導通（電気的に接続）させることができる。
【００１７】
端子ｂは、接地電位に接続されている。端子ｃは、端子ｄと、ＤＩＲ３のリセット端子とに接続され、かつ、抵抗Ｒ２を介してリレースイッチ５を制御するためのｐｎｐ型トランジスタＱ１のベースに接続されている。端子ｆは、オプティカルデジタル音声入力端子に接続されている。端子ｇは、抵抗Ｒ１を介して接地電位に接続されている。端子ｈは、端子ｉと、ＤＩＲ３のデジタル音声入力端子ＲＸとに接続されている。端子ｊは、コアキシャルデジタル音声入力端子に接続されている。
【００１８】
図１Ａは、スライドスイッチ２のスイッチ本体２１，２２が左側に位置する状態を示し、オプティカルデジタル音声入力端子が選択された状態を示す。このとき、スイッチ本体２１は、端子ｆと端子ｈとを導通させる。従って、オプティカルデジタル音声入力端子からのデジタル音声信号が端子ｆ、スイッチ本体２１、端子ｈを介してＤＩＲ３のデジタル音声入力端子ＲＸに供給される。また、スイッチ本体２２は、端子ａと端子ｃとを導通させる。従って、ＤＩＲ３のリセット端子を接地電位に接続させず、ＤＩＲ３のリセット端子にリセット制御信号（ローレベルの信号）を供給しない。
【００１９】
図１Ｂは、スライドスイッチ２のスイッチ本体２１，２２が中央側に位置する状態を示し、アナログ音声入力端子が選択された状態を示す。このとき、スイッチ本体２１は、端子ｇと端子ｉとを導通させる。従って、ＤＩＲ３のデジタル音声入力端子ＲＸは、端子ｉ、スイッチ本体２１、端子ｇ、抵抗Ｒ１を介して接地電位に接続され、デジタル音声信号が入力されない。また、スイッチ本体２２は、端子ｂと端子ｄとを導通させる。従って、ＤＩＲ３のリセット端子は、端子ｄ、スイッチ本体２２、端子ｂを介して接地電位に接続され、リセット制御信号（ローレベルの信号）が供給される。
【００２０】
図１Ｃは、スライドスイッチ２のスイッチ本体２１、２２が右側に位置する状態を示し、コアキシャルデジタル音声入力端子が選択された状態を示す。このとき、スイッチ本体２１は、端子ｈと端子ｊとを導通させる。従って、コアキシャルデジタル音声入力端子からのデジタル音声信号が端子ｊ、スイッチ本体２１、端子ｈを介してＤＩＲ３のデジタル音声入力端子ＲＸに供給される。また、スイッチ本体２２は、端子ｃと端子ｅとを導通させる。従って、ＤＩＲ３のリセット端子を接地電位に接続させず、ＤＩＲ３のリセット端子にリセット制御信号（ローレベルの信号）を供給しない。
【００２１】
ＤＩＲ３は、デジタル音声入力端子ＲＸと、リセット端子ＲＥＳＥＴと、デジタル音声出力端子ＤＯＵＴとを含む。デジタル音声入力端子ＲＸは、スライドスイッチ２の端子ｈ、端子ｉに接続されている。リセット端子ＲＥＳＥＴは、５Ｖ電源電圧ラインと、スライドスイッチ２の端子ｃ、端子ｄとに接続されている。デジタル音声出力端子ＤＯＵＴは、ＤＡＣ４のデジタル音声入力端子ＤＡＴＡに接続されている。
【００２２】
ＤＩＲ３は、デジタル音声入力端子ＲＸに入力されたデジタル音声信号を所定規格のデジタル音声信号（特に限定されないが本例ではＩ２Ｓデジタル音声信号）に変換し、デジタル音声出力端子ＤＯＵＴから出力する。ＤＩＲ３は、スライドスイッチ２の選択状態がオプティカルデジタル音声入力端子とコアキシャルデジタル音声入力端子との間で切換えられる際に、リセット端子ＲＥＳＥＴにリセット制御信号（ローレベルの信号）が供給され、リセット動作を実行する必要がある。つまり、リセット端子ＲＥＳＥＴは、スライドスイッチ２がオプティカルデジタル音声入力端子又はコアキシャルデジタル音声入力端子を選択している状態では、スライドスイッチ２を介して接地電位に接続されず、５Ｖ電源電圧ラインに接続された状態になるので、ハイレベルの信号が入力されており（リセット制御信号が入力されておらず）、リセット動作を実行しない。また、リセット端子ＲＥＳＥＴは、スライドスイッチ２がアナログ音声入力端子を選択している状態では、スライドスイッチ２を介して接地電位に接続された状態になるので、ローレベルの信号（リセット制御信号）が入力されており、リセット動作を実行する。ここで、リセット動作とは、ＤＩＲ３内に保持されているデジタル音声信号のデータ（情報）を消去することである。つまり、スライドスイッチ２が、オプティカルデジタル音声入力端子から、アナログ音声入力端子を経由して、コアキシャルデジタル音声入力端子を選択する場合、ＤＩＲ３はリセット動作によって、オプティカルデジタル音声入力端子から入力されたデジタル音声信号のデータを全て消去する。
【００２３】
ＤＩＲ３としては、特に限定されないが、例えば、WOLFSON MICROELECTRONICS社製のWM8804GEDS/RVが採用されるとよい。
【００２４】
ＤＡＣ４は、デジタル音声入力端子ＤＡＴＡと、アナログ左音声出力端子ＬＯＵＴと、アナログ右音声出力端子ＲＯＵＴとを含む。デジタル音声入力端子ＤＡＴＡは、ＤＩＲ３のデジタル音声出力端子ＤＯＵＴに接続されている。アナログ左音声出力端子ＬＯＵＴは、リレースイッチ５のスイッチＳＷ１に接続されている。アナログ右音声出力端子ＲＯＵＴは、リレースイッチ５のスイッチＳＷ２に接続されている。ＤＡＣ４は、デジタル音声入力端子ＤＡＴＡに入力されたＩ２Ｓデジタル音声信号をアナログ左音声信号およびアナログ右音声信号に変換し、リレースイッチ５に出力する。
【００２５】
リレースイッチ５は、スライドスイッチ２の選択状態に応じて、トランジスタＱ１によって切換制御され、後段のボリューム回路やアンプ回路等に出力するアナログ音声信号を、アナログ音声入力端子から入力されたアナログ音声信号と、ＤＡＣ４から入力されたアナログ音声信号との間で切換える。つまり、スライドスイッチ２がオプティカルデジタル音声入力端子又はコアキシャルデジタル音声入力端子を選択している場合には、ＤＡＣ４からのアナログ音声信号をボリューム回路やアンプ回路に出力するように切換え、スライドスイッチ２がアナログ音声入力端子を選択している場合には、アナログ音声入力端子からのアナログ音声信号をボリューム回路やアンプ回路に出力するように切換える。
【００２６】
リレースイッチ５は、スイッチＳＷ１、ＳＷ２と、コイルＬとを含む。スイッチＳＷ１の入力側の一方の端子はアナログ左音声入力端子に接続され、入力側の他方の端子はＤＡＣ４のアナログ左音声出力端子ＬＯＵＴに接続され、出力側の端子はボリューム回路やアンプ回路等に接続されている。スイッチＳＷ２の入力側の一方の端子はアナログ右音声入力端子に接続され、入力側の他方の端子はＤＡＣ４のアナログ右音声出力端子ＲＯＵＴに接続され、出力側の端子はボリューム回路やアンプ回路等に接続されている。コイルＬは、一端がトランジスタＱ１のコレクタに接続され、他端が接地電位に接続されている。
【００２７】
トランジスタＱ１はリレースイッチ５を切換制御するためのものである。トランジスタＱ１は、ベースが抵抗Ｒ２を介してスライドスイッチ２の端子ｃ、端子ｄに接続され、コレクタがコイルＬに接続され、エミッタが５Ｖ電源電圧ラインに接続されている。トランジスタＱ１は、スライドスイッチ２が、オプティカルデジタル音声入力端子又はコアキシャルデジタル音声入力端子を選択している場合には、ベースがスライドスイッチ２を介して接地電位に接続されず、５Ｖ電源電圧ラインに接続された状態になり、オフ状態になる。従って、コイルＬに電流が流れないので、スイッチＳＷ１、ＳＷ２はＤＡＣ４を選択する。一方、トランジスタＱ１は、スライドスイッチ２が、アナログ音声入力端子を選択している場合には、ベースがスライドスイッチ２を介して接地電位に接続された状態になり、オン状態になる。従って、コイルＬに電流が流れ、スイッチＳＷ１、ＳＷ２はアナログ音声入力端子側を選択する。
【００２８】
以上の構成を有するセレクタ装置１についてその動作を説明する。
［スライドスイッチ２がオプティカルデジタル音声入力端子を選択している場合］
図１Ａに示すように、スライドスイッチ２のスイッチ本体２１、２２は左側に位置する。スイッチ本体２１は、端子ｆと端子ｈとを導通させるので、オプティカルデジタル音声入力端子からのデジタル音声信号がＤＩＲ３のデジタル音声入力端子ＲＸに供給される。ＤＩＲ３は、デジタル音声入力端子ＲＸに供給されたデジタル音声信号をＩ２Ｓデジタル音声信号に変換し、ＤＡＣ４に供給する。また、ＤＩＲ３は、リセット端子ＲＥＳＥＴが５Ｖ電源電圧ラインに接続された状態であるので、リセット動作を実行しない。ＤＡＣ４は、Ｉ２Ｓデジタル音声信号をアナログ音声信号に変換し、リレースイッチ５に供給する。トランジスタＱ１は、ベースが５Ｖ電源電圧ラインに接続され、オフ状態であり、コイルＬに電流が流れない。従って、リレースイッチ５のスイッチＳＷ１、ＳＷ２は、ＤＡＣ４側を選択する。従って、オプティカルデジタル音声入力端子からのデジタル音声信号をアナログ音声信号に変換し、ボリューム回路等に供給することができる。
【００２９】
［スライドスイッチ２がアナログ音声入力端子を選択している場合］
図１Ｂに示すように、スライドスイッチ２のスイッチ本体２１、２２は中央側に位置する。スイッチ本体２１は、端子ｇと端子ｉとを導通させるので、ＤＩＲ３のデジタル音声入力端子ＲＸにはデジタル音声信号が供給されない。スライドスイッチ２のスイッチ本体２２は、端子ｂと端子ｄとを導通させるので、ＤＩＲ３のリセット端子ＲＥＳＥＴは、接地電位に接続された状態であり、ローレベルの信号（リセット制御信号）が入力され、ＤＩＲ３はリセット動作を実行する。トランジスタＱ１は、ベースが接地電位に接続され、オン状態であり、コイルＬに電流が流れる。従って、リレースイッチ５のスイッチＳＷ１、ＳＷ２は、アナログ音声入力端子側を選択する。従って、アナログ音声入力端子からのアナログ音声信号を、ボリューム回路等に供給することができる。
【００３０】
［スライドスイッチ２がコアキシャルデジタル音声入力端子を選択している場合］
図１Ｃに示すように、スライドスイッチ２のスイッチ本体２１、２２は右側に位置する。スイッチ本体２１は、端子ｈと端子ｊとを導通させるので、コアキシャルデジタル音声入力端子からのデジタル音声信号がＤＩＲ３のデジタル音声入力端子ＲＸに供給される。ＤＩＲ３は、デジタル音声入力端子ＲＸに供給されたデジタル音声信号をＩ２Ｓデジタル音声信号に変換し、ＤＡＣ４に供給する。また、ＤＩＲ３は、リセット端子ＲＥＳＥＴが５Ｖ電源電圧ラインに接続された状態であるので、リセット動作を実行しない。ＤＡＣ４は、Ｉ２Ｓデジタル音声信号をアナログ音声信号に変換し、リレースイッチ５に供給する。トランジスタＱ１は、ベースが５Ｖ電源電圧ラインに接続され、オフ状態であり、コイルＬに電流が流れない。従って、リレースイッチ５のスイッチＳＷ１、ＳＷ２は、ＤＡＣ４側を選択する。従って、コアキシャルデジタル音声入力端子からのデジタル音声信号をアナログ音声信号に変換し、ボリューム回路等に供給することができる。
【００３１】
以上のように、本実施形態によると、スライドスイッチ２の選択状態を、オプティカルデジタル音声入力端子とコアキシャルデジタル音声入力端子との間で切換える際に、必ず、アナログ音声入力端子を選択する状態を経由し、このときに、ＤＩＲ３のリセット端子ＲＥＳＥＴを接地電位に接続させることで、リセット動作を実行させることができる。また、アナログ音声入力端子を選択しているときにＤＩＲ３がリセット動作を実行するので、リセット動作を実行するためだけの状態をセレクタスイッチ２に設ける必要がないので、ユーザにリセット動作を気づかれることがない。また、アナログ音声入力端子を選択しているときにＤＩＲ３がリセット動作を実行するので、デジタル系の回路からの輻射ノイズのアナログ音声信号への影響をなくすことができる。
【００３２】
次に、本発明の別の好ましい実施形態によるセレクタ装置１１を、図２Ａ〜図２Ｃを参照して説明する。セレクタ装置１１は、図１Ａ〜図１Ｃのセレクタ装置１と比較して、リセットＩＣ６を追加している点と、スライドスイッチ２がアナログ音声入力端子を選択している際に、接地電位ではなく、所定の電源電圧ライン（ここでは３．３Ｖ電源電圧ライン）をリセットＩＣ６の入力とｎｐｎ型トランジスタＱ２のベースに接続させることにより、ハイレベルの信号をリセットＩＣ６とトランジスタＱ２に出力する点で異なっている。
【００３３】
スライドスイッチ２について説明する。端子ｂは、リセットＩＣの入力端子に接続され、かつ、抵抗Ｒ２を介してトランジスタＱ２のベースに接続されている。端子ｃは、端子ｄと、３．３Ｖ電源電圧ラインとに接続されている。端子ｆは、オプティカルデジタル音声入力端子に接続されている。端子ｇは、抵抗Ｒ１を介して接地電位に接続されている。端子ｈは、端子ｉと、ＤＩＲ３のデジタル音声入力端子ＲＸとに接続されている。端子ｊは、コアキシャルデジタル音声入力端子に接続されている。
【００３４】
リセットＩＣ６は、入力端子ＩＮがスライドスイッチ２の端子ｂに接続され、出力端子がＤＩＲ３のリセット端子ＲＥＳＥＴに接続されている。リセットＩＣ６は、スライドスイッチ２がアナログ音声入力端子を選択する際に、入力端子がスライドスイッチ２を介して３．３Ｖの電源電圧ラインに接続され、ハイレベルの信号が入力されることにより、出力端子から、所定時間（例えば２００ミリ秒）継続して、ローレベルの信号（リセット制御信号）をＤＩＲ３のリセット端子ＲＥＳＥＴに供給する。この所定時間は、ＤＩＲ３がリセット制御信号が入力されたと判断することができる最低時間よりも長い時間に設定されている。従って、ユーザ操作によってスライドスイッチ２が瞬間的にオプティカルデジタル音声入力端子とコアキシャルデジタル音声入力端子との間で切換えられた場合であっても（つまり、アナログ音声入力端子が選択されている状態がわずかな時間しか存在しなくても）、リセットＩＣが所定時間継続してリセット制御信号をＤＩＲ３に出力するので、ＤＩＲ３は確実にリセット動作を実行することができる。
【００３５】
次に、本実施形態の動作を説明する。
［スライドスイッチ２がオプティカルデジタル音声入力端子を選択している場合］
図２Ａに示すように、スライドスイッチ２のスイッチ本体２１、２２は左側に位置する。スイッチ本体２１は、端子ｆと端子ｈとを導通させるので、オプティカルデジタル音声入力端子からのデジタル音声信号がＤＩＲ３のデジタル音声入力端子ＲＸに供給される。ＤＩＲ３は、デジタル音声入力端子ＲＸに供給されたデジタル音声信号をＩ２Ｓデジタル音声信号に変換し、ＤＡＣ４に供給する。また、リセットＩＣ６の入力端子は３．３Ｖ電源電圧ラインに接続されておらず、ハイレベルの信号が供給されないので、ＤＩＲ３のリセット端子にローレベルの信号（リセット制御信号）を供給しない。従って、ＤＩＲ３は、リセット動作を実行しない。ＤＡＣ４は、Ｉ２Ｓデジタル音声信号をアナログ音声信号に変換し、リレースイッチ５に供給する。トランジスタＱ２は、ベースが３．３Ｖ電源電圧ラインに接続されず、抵抗Ｒ３を介して接地電位に接続された状態であるので、オフ状態であり、コイルＬに電流が流れない。従って、リレースイッチ５のスイッチＳＷ１、ＳＷ２は、ＤＡＣ４側を選択する。従って、オプティカルデジタル音声入力端子からのデジタル音声信号をアナログ音声信号に変換し、ボリューム回路等に供給することができる。
【００３６】
［スライドスイッチ２がアナログ音声入力端子を選択している場合］
図２Ｂに示すように、スライドスイッチ２のスイッチ本体２１、２２は中央側に位置する。スイッチ本体２１は、端子ｇと端子ｉとを導通させるので、ＤＩＲ３のデジタル音声入力端子ＲＸにはデジタル音声信号が供給されない。スライドスイッチ２のスイッチ本体２２は、端子ｂと端子ｄとを導通させるので、リセットＩＣ６の入力端子は、端子ｂ、スイッチ本体２２、端子ｄを介して３．３Ｖ電源電圧ラインに接続され、ハイレベルの信号が供給される。従って、リセットＩＣ６は、ローレベルの信号（リセット制御信号）をＤＩＲ３のリセット端子ＲＥＳＥＴに所定時間（２００ミリ秒間）継続的に供給する。これにより、ＤＩＲ３はリセット動作を実行する。トランジスタＱ２は、ベースが抵抗Ｒ２、端子ｂ、スイッチ本体２２、端子ｄを介して３．３Ｖ電源電圧ラインに接続され、オン状態であり、コイルＬに電流が流れる。従って、リレースイッチ５のスイッチＳＷ１、ＳＷ２は、アナログ音声入力端子側を選択する。従って、アナログ音声入力端子からのアナログ音声信号を、ボリューム回路等に供給することができる。
【００３７】
［スライドスイッチ２がコアキシャルデジタル音声入力端子を選択している場合］
図２Ｃに示すように、スライドスイッチ２のスイッチ本体２１、２２は右側に位置する。スイッチ本体２１は、端子ｈと端子ｊとを導通させるので、コアキシャルデジタル音声入力端子からのデジタル音声信号がＤＩＲ３のデジタル音声入力端子ＲＸに供給される。ＤＩＲ３は、デジタル音声入力端子ＲＸに供給されたデジタル音声信号をＩ２Ｓデジタル音声信号に変換し、ＤＡＣ４に供給する。また、リセットＩＣ６の入力端子は３．３Ｖ電源電圧ラインに接続されておらず、ハイレベルの信号が供給されないので、ＤＩＲ３のリセット端子にローレベルの信号（リセット制御信号）を供給しない。従って、ＤＩＲ３は、リセット動作を実行しない。ＤＡＣ４は、Ｉ２Ｓデジタル音声信号をアナログ音声信号に変換し、リレースイッチ５に供給する。トランジスタＱ２は、ベースが３．３Ｖ電源電圧ラインに接続されず、抵抗Ｒ３を介して接地電位に接続された状態であるので、オフ状態であり、コイルＬに電流が流れない。従って、リレースイッチ５のスイッチＳＷ１、ＳＷ２は、ＤＡＣ４側を選択する。従って、オプティカルデジタル音声入力端子からのデジタル音声信号をアナログ音声信号に変換し、ボリューム回路等に供給することができる。
【００３８】
以上、本発明の好ましい実施形態を説明したが、本発明はこれらの実施形態には限定されない。スライドスイッチが４つの選択状態を有する場合、例えば、左から順番に、第１デジタル音声入力端子、第１アナログ音声入力端子、第２アナログ音声入力端子、第２デジタル音声入力端子の順番に選択されるとよい。スライドスイッチが５つの選択状態を有する場合、例えば、左から順番に、第１デジタル音声入力端子、第１アナログ音声入力端子、第２デジタル音声入力端子、第２アナログ音声入力端子、第３デジタル音声入力端子の順番に選択されるとよい。変換手段は、Ｉ２Ｓデジタル音声信号に変換するもの限定されず、例えばＳＰＤＩＦ等の他の規格に変換するものでもよい。
【産業上の利用可能性】
【００３９】
本発明は、アンプ又はアンプ内蔵スピーカー等に好適に採用され得る。
【符号の説明】
【００４０】
１              リセット装置
２              スライドスイッチ
３              ＤＩＲ
４              ＤＡＣ
５              リレースイッチ
６              リセットＩＣ
【図１Ａ】
2011244353.tif 000003
【図１Ｂ】
2011244353.tif 000004
【図１Ｃ】
2011244353.tif 000005
【図２Ａ】
2011244353.tif 000006
【図２Ｂ】
2011244353.tif 000007
【図２Ｃ】
2011244353.tif 000008
【図３】
2011244353.tif 000009
【図４】
2011244353.tif 000010